【手続補正書】
【提出日】平成24年2月2日(2012.2.2)
【手続補正１】
【補正対象書類名】明細書
【補正対象項目名】０１０９
【補正方法】変更
【補正の内容】
【０１０９】
本発明の例示的実施形態は、本発明の範囲内で実行可能な変更に関して記述する。本発明内のこれら及び他の変形及び修正は、本発明の範囲から逸脱することなく当業者に明らかであり、本発明は本明細書に説明される代表的な実施形態に限られないということは理解されるべきである。したがって、本発明は、以下に提供されている請求項及びその同等物によってのみ制限されるべきである。本発明の実施態様の一部を以下の項目１−２３に列記する。
［１］
内側表面と外側表面を含む支持体と、
前記内側表面の少なくとも一部分上の接着剤であって、前記支持体の前記内側表面の周辺に延びて、創傷を覆って医療用手当て用品を患者に接着させる、接着剤と、
前記支持体を通して形成されている開口部を覆って前記支持体に取り付けられた通常閉のバルブであって、前記開口部を介しての流体の流れは前記バルブによって制御され、前記通常閉のバルブと前記支持体との間の死容量は、１０ｍｍ３以下である、バルブと、
を含む医療用手当て用品であって、前記創傷を覆って前記医療用手当て用品を取り付けたときに、前記医療用手当て用品は前記創傷を覆う密閉された環境を画定し、更に前記バルブを覆う前記支持体の前記外側表面への真空の適用は、前記密閉された環境内部の流体を前記支持体の前記開口部を介して取り除くことができるように、前記通常閉のバルブを開放する、医療用手当て用品。
［２］
内側表面と外側表面を含む支持体と、
前記支持体を通して形成されている開口部を覆って前記支持体に取り付けられた通常閉のバルブであって、前記開口部を介しての流体の流れは前記バルブによって制御され、前記通常閉のバルブと前記支持体との間の死容量は、６ｍｍ３以下である、バルブと、
を含む医療用手当て用品であって、創傷を覆って前記医療用手当て用品を取り付けたときに、前記医療用手当て用品は前記創傷を覆う密閉された環境を画定し、更に前記バルブを覆う前記支持体の前記外側表面への真空の適用は、前記密閉された環境内部の流体を前記支持体の前記開口部を介して取り除くことができるように、前記通常閉のバルブを開放する、医療用手当て用品。
［３］
内側表面と外側表面を含む支持体と、
前記内側表面の少なくとも一部分上の接着剤であって、前記支持体の前記内側表面の周辺に延びて、創傷を覆って医療用手当て用品を患者に接着させる、接着剤と、
前記支持体を通して形成されている開口部を覆って前記支持体に取り付けられた通常閉のバルブであって、前記開口部を介しての流体の流れは前記バルブによって制御され、前記バルブは、閉止形状にあるときに前記支持体と整列した複数の高分子フィルム層を含み、前記複数の高分子フィルム層は、フラップが内部に形成されたフラップ層を含み、前記バルブが開放形状にあるときに、前記フラップは前記支持体とは整列しない、バルブと、
を含む医療用手当て用品であって、前記創傷を覆って前記医療用手当て用品を取り付けたときに、前記医療用手当て用品は前記創傷を覆う密閉された環境を画定し、更に前記バルブを覆う前記支持体の前記外側表面への真空の適用は、前記密閉された環境内部の流体を前記支持体の前記開口部を介して取り除くことができるように、前記通常閉のバルブを開放する、医療用手当て用品。
［４］
内側表面と外側表面を含む支持体と、
前記内側表面の少なくとも一部分上の接着剤であって、前記支持体の前記内側表面の周辺に延びて、創傷を覆って医療用手当て用品を患者に接着させる、接着剤と、
前記支持体を通して形成されている開口部を覆って前記支持体に取り付けられた通常閉のバルブであって、前記開口部を介しての流体の流れは前記バルブによって制御され、前記バルブは前記支持体の前記内側表面と前記外側表面に対して垂直に測定したときに、１センチメートル以下の最大厚さを有する、バルブと、
を含む医療用手当て用品であって、前記創傷を覆って前記医療用手当て用品を取り付けたときに、前記医療用手当て用品は前記創傷を覆う密閉された環境を画定し、更に前記バルブを覆う前記支持体の前記外側表面への真空の適用は、前記密閉された環境内部の流体を前記支持体の前記開口部を介して取り除くことができるように、前記通常閉のバルブを開放する、医療用手当て用品。
［５］
前記バルブが、開放形状にあるときには前記密閉された環境から流体を流出させることを可能にし、閉止形状にあるときには前記密閉された環境への流体の流入を制限する、一方向弁を含む、項目１〜４のいずれか一項に記載の医療用手当て用品。
［６］
前記バルブが可撓性であり、医療従事者の親指と人差し指の間で少なくとも一方向に容易に折畳むことができる、項目１〜５のいずれか一項に記載の医療用手当て用品。
［７］
前記医療用手当て用品がスタンドオフ要素を更に含み、前記密閉された環境において前記スタンドオフ要素を前記支持体の前記内側表面に近接させて配置したときに、前記スタンドオフ要素が前記支持体の前記内側表面上の前記開口部への複数の流体経路を画定する、項目１〜６のいずれか一項に記載の医療用手当て用品。
［８］
前記スタンドオフ要素が、前記支持体の前記内側表面に直接形成された構造を含む、項目７に記載の医療用手当て用品。
［９］
前記スタンドオフ要素が、前記支持体の前記内側表面に取り付けられた別個の物品を含む、項目７に記載の医療用手当て用品。
［１０］
前記スタンドオフ要素が、前記支持体の前記内側表面に取り付けられた別個の物品を含み、更に前記スタンドオフ要素が前記別個の物品の２つの主表面上に流体経路形成構造を含む、項目７に記載の医療用手当て用品。
［１１］
前記医療用手当て用品が、前記支持体に取り付けられた隔膜要素を更に含む、項目１〜１０のいずれか一項に記載の医療用手当て用品。
［１２］
前記医療用手当て用品が、前記医療用手当て用品に取り付けられた閉止要素を含む、項目１〜１１のいずれか一項に記載の医療用手当て用品。
［１３］
前記医療用手当て用品が前記バルブを覆って前記医療用手当て用品に取り付けられた閉止要素を含み、前記閉止要素が前記バルブを密閉して閉じる、項目１〜１２のいずれか一項に記載の医療用手当て用品。
［１４］
前記医療用手当て用品が、前記支持体の前記内側表面に近接させて前記医療用手当て用品に取り付けられたバリア要素を更に含む、項目１〜１３のいずれか一項に記載の医療用手当て用品。
［１５］
項目１〜１４のいずれか一項に記載の医療用手当て用品と、
前記密閉された環境においてスタンドオフ要素を前記支持体の前記内側表面に近接させて配置したときに、前記支持体の前記内側表面上の前記開口部への複数の流体経路を画定するスタンドオフ要素と、
任意に、隔膜要素と、
任意に、閉止要素と、
任意に、バリア要素と、
任意に、創傷充填材と、
任意に、ポンプと、
任意に、流体トラップと、
任意に、前記バルブを覆って前記支持体の前記外側表面へ取り付けることに適合した、取り付け部と、を含む、医療用手当て用品キット。
［１６］
前記隔膜要素が、前記医療用手当て用品に予め取り付けられた、項目１５に記載の医療用手当て用品キット。
［１７］
前記隔膜要素が、前記医療用手当て用品に取り付けられていない、項目１５に記載の医療用手当て用品キット。
［１８］
前記閉止要素が、前記医療用手当て用品に予め取り付けられた、項目１５に記載の医療用手当て用品キット。
［１９］
前記閉止要素が、前記医療用手当て用品に取り付けられていない、項目１５に記載の医療用手当て用品キット。
［２０］
前記医療用手当て用品が前記バルブを覆って前記医療用手当て用品に取り付けられた閉止要素を含み、前記閉止要素が前記バルブを密閉して閉じる、項目１５に記載の医療用手当て用品キット。
［２１］
創傷を覆って項目１、１３、１４、及び２５のいずれか一項に記載の医療用手当て用品を適用することと、
前記医療用手当て用品の前記通常閉のバルブを開放させる真空を、前記支持体の前記外側表面に適用することと、
前記密閉された環境から前記バルブを介して流体を取り除くことと、を含む、創傷を治療する方法。
［２２］
内部容積から除去された前記流体は、前記密閉された環境内部の圧力が、大気圧以下であるように、空気を含む、項目２１に記載の方法。
［２３］
内部容積から除去された前記流体は、前記創傷からの創傷滲出物を含む、項目２１に記載の方法。
【手続補正２】
【補正対象書類名】特許請求の範囲
【補正対象項目名】全文
【補正方法】変更
【補正の内容】
【特許請求の範囲】
【請求項１】
内側表面と外側表面を含む支持体と、
前記内側表面の少なくとも一部分上の接着剤であって、前記支持体の前記内側表面の周辺に延びて、創傷を覆って医療用手当て用品を患者に接着させる、接着剤と、
前記支持体を通して形成されている開口部を覆って前記支持体に取り付けられた通常閉のバルブであって、前記開口部を介しての流体の流れは前記バルブによって制御され、前記通常閉のバルブと前記支持体との間の死容量は、１０ｍｍ３以下である、バルブと、
を含む医療用手当て用品であって、前記創傷を覆って前記医療用手当て用品を取り付けたときに、前記医療用手当て用品は前記創傷を覆う密閉された環境を画定し、更に前記バルブを覆う前記支持体の前記外側表面への真空の適用は、前記密閉された環境内部の流体を前記支持体の前記開口部を介して取り除くことができるように、前記通常閉のバルブを開放する、医療用手当て用品。
【請求項２】
前記バルブは、閉止形状にあるときに前記支持体と整列した複数の高分子フィルム層を含み、前記複数の高分子フィルム層は、フラップが内部に形成されたフラップ層を含み、前記バルブが開放形状にあるときに、前記フラップは前記支持体とは整列しない、請求項１に記載の医療用手当て用品。
【請求項３】
前記医療用手当て用品がスタンドオフ要素を更に含み、前記密閉された環境において前記スタンドオフ要素を前記支持体の前記内側表面に近接させて配置したときに、前記スタンドオフ要素が前記支持体の前記内側表面上の前記開口部への複数の流体経路を画定する、請求項１または２のいずれかに記載の医療用手当て用品。